(57)【要約】  本発明に係る室外機は、上面視において長辺部を一辺とする一対の第１側面部と、上面視において長辺部より長さの短い短辺部を一辺とする一対の第２側面部と、を有する直方体で形成された筐体を備えた室外機であって、一対の第１側面部の上部には把手部が形成されるものである。
2016129077.tif 000002
【特許請求の範囲】
【請求項１】
上面視において長辺部を一辺とする一対の第１側面部と、上面視において前記長辺部より長さの短い短辺部を一辺とする一対の第２側面部と、を有する直方体で形成された筐体を備えた室外機であって、
前記一対の第１側面部の上部には把手部が形成される室外機。
【請求項２】
前記把手部は、上面視において前記一対の第１側面部の端部に形成される請求項１に記載の室外機。
【請求項３】
前記把手部は、上面視において前記一対の第１側面部の両端部に４つ形成される請求項１に記載の室外機。
【請求項４】
前記把手部は、上面視において前記一対の第１側面部の対角線上の端部に２つ形成される請求項１または２に記載の室外機。
【請求項５】
前記把手部の先端部は、前記短辺部と平行な第１方向において、前記一対の第１側面部から突出して形成される請求項１〜４のいずれか１項に記載の室外機。
【請求項６】
前記筐体は、該筐体の上面に取り付けられ、前記長辺部と前記短辺部とを有する天面パネルを備え、
前記長辺部には前記把手部が形成される請求項１〜４のいずれか１項に記載の室外機。
【請求項７】
前記把手部の先端部は、前記短辺部と平行な第１方向において、前記長辺部の中央部分から突出して形成される請求項６に記載の室外機。
【請求項８】
前記筐体の底面には、前記短辺部と平行な第１方向において、前記長辺部から突出して配置される脚部が取り付けられ、
前記把手部の先端部は、前記第１方向において前記脚部の先端位置よりも前記第１側面部側に位置するよう構成された請求項１〜７のいずれか１項に記載の室外機。
【発明の詳細な説明】
【技術分野】
【０００１】
本発明は、空気調和装置の室外機に関するものである。
【背景技術】
【０００２】
空気調和機の室外機には、据え付けの際などに人が運搬できるように把手部が設けられている。このような把手部は、天面パネルの短辺側の側面に室外機本体外郭の側面より外方向に突出させた状態で設けられている（特許文献１参照）。
【先行技術文献】
【特許文献】
【０００３】
【特許文献１】特開平１０−２２７４８７号公報
【発明の概要】
【発明が解決しようとする課題】
【０００４】
従来の室外機（特許文献１）では、室外機本体の筐体の短辺側側面より外方向に突出させた状態で把手部が設けられているため、室外機の長手方向の寸法が大きくなり、梱包時の寸法が大きくなることで、運搬効率が悪くなっていた。また、設置時には把手部が室外機本体の筐体から外方向に突出することで、設置スペースが増大していた。さらに、近年の室外機の大型化による重量増に対して２人で運搬する際に室外機本体の筐体の短辺側に把手部があるため、作業者が持ちにくいという問題も存在した。【０００５】
本発明は、上記のような課題を背景としてなされたものであり、梱包時と設置時との両方においてデッドスペースとなる位置に把手部を配置することで、室外機の運搬効率の向上と設置スペースの有効化との両立を可能とし、さらに、室外機の大型化による作業者の負担を低減する空気調和装置の室外機を得ることを目的とする。
【課題を解決するための手段】
【０００６】
本発明に係る室外機は、上面視において長辺部を一辺とする一対の第１側面部と、上面視において長辺部より長さの短い短辺部を一辺とする一対の第２側面部と、を有する直方体で形成された筐体を備えた室外機であって、一対の第１側面部の上部には把手部が形成されるものである。
【発明の効果】
【０００７】
本発明に係る室外機では、上面視において筐体の長辺部を一辺とする一対の第１側面部に把手部を配置することで、梱包時と設置時との両方においてデッドスペースとなる位置に把手部を設け、室外機の運搬効率の向上と設置スペースの有効化との両立を可能とするとともに、作業者が筐体を持ちやすくなり搬送効率を向上させることが可能となる。
【図面の簡単な説明】
【０００８】
【図１】実施の形態１に係る室外機の斜視図である。
【図２】実施の形態１に係る室外機の分解斜視図である。
【図３】実施の形態１に係る室外機の天面パネルの斜視図である。
【図４】実施の形態１に係る室外機の天面パネルの上面図と３面の側面図とを示した図である。
【図５】実施の形態１に係る室外機の上面図である。
【図６】実施の形態１に係る室外機の図５におけるＺ−Ｚ断面図である。
【図７】実施の形態１に係る室外機の図５におけるＹ−Ｙ断面図である。
【図８】実施の形態１の変形例１に係る室外機の天面パネルの斜視図である。
【図９】実施の形態１の変形例１に係る室外機の天面パネルの上面図と３面の側面図とを示した図である。
【図１０】実施の形態１の変形例２に係る室外機の天面パネルの斜視図である。
【図１１】実施の形態１の変形例２に係る室外機の天面パネルの上面図と３面の側面図とを示した図である。
【図１２】実施の形態２に係る室外機の斜視図である。
【図１３】実施の形態２に係る室外機の分解斜視図である。
【図１４】実施の形態３に係る室外機の正面側斜視図である。
【図１５】実施の形態３に係る室外機の背面側斜視図である。
【図１６】実施の形態３に係る室外機の正面図である。
【図１７】実施の形態３に係る室外機の背面図である。
【図１８】実施の形態３に係る室外機の図１６におけるＺ−Ｚ断面図である。
【発明を実施するための形態】
【０００９】
以下、本発明に係る空気調和装置の室外機について、図面を用いて説明する。
以下で説明する室外機の構成は一例に過ぎず、本発明に係る室外機は、そのような構成に限定されない。また、各図において、同一又は類似するものには、同一の符号を付すか、又は、符号を付すことを省略している。また、細かい構造については、適宜図示を簡略化又は省略している。また、重複又は類似する説明については、適宜簡略化又は省略している。
【００１０】
実施の形態１．
実施の形態１に係る室外機について図１〜図７を用いて説明する。
図１は、実施の形態１に係る室外機の斜視図である。
図２は、実施の形態１に係る室外機の分解斜視図である。
図３は、実施の形態１に係る室外機の天面パネルの斜視図である。
図４は、実施の形態１に係る室外機の天面パネルの上面図と３面の側面図とを示した図である。
図５は、実施の形態１に係る室外機の上面図である。
図６は、実施の形態１に係る室外機の図５におけるＺ−Ｚ断面図である。
図７は、実施の形態１に係る室外機の図５におけるＹ−Ｙ断面図である。
【００１１】
＜室外機の構成＞
室外機の筐体１は、図１に示すように板金製で略直方体形状となっている。筐体１は、図１、２に示すように、筐体１の前面側に配置された前面パネル２０（本発明の第１側面部に相当する）と、筐体１の側面を覆う２枚の側面パネル３０（本発明の第２側面部に相当する）と、筐体１の背面側に配置された背面パネル５０（本発明の第１側面部に相当する）と、上面を覆う天面パネル１０と、により大きく構成されている。また、前面パネル２０には開口を有する前面グリル２１が取り付けられている。筐体１の下面には室外機を支持する長尺形状の脚部４０が筐体１の短辺方向に渡るように２本取り付けられている。  脚部４０の両端には、脚部４０を樹脂製やコンクリート製の基礎ブロック等に固定するためのボルト孔が形成されている。
【００１２】
筐体１の内部には、冷媒を圧縮するための圧縮機（図示しない）、外気と冷媒とを熱交換する室外熱交換器２、外気を室外熱交換器２に供給する送風機３、送風機３を支持し送風機用のモーターが取り付けられる支持台４、室外機の各アクチュエータを制御する制御装置５等が格納されている。
【００１３】
室外熱交換器２は、例えば複数並設されるアルミ製の薄い板状のフィンを伝熱管が貫通するフィンチューブ熱交換器であり、全体を略Ｌ字形状に構成して筐体１を構成する背面側と側面側とに沿って配置される。フィンは鉛直方向に立設され伝熱管は水平方向にフィンを貫通した構成となっている。
送風機３は、室外熱交換器２の近くに設けられ、送風機３の回転によって外気が室外熱交換器２のフィン間を通過し、その際に室外熱交換器２の伝熱管内を流れる冷媒と外気とが熱交換される。熱交換後の外気は前面グリル２１から筐体１の外に排気される。
【００１４】
このような空気調和装置の室外機が運転されると、例えば暖房運転の場合には、室外熱交換器２が蒸発器として機能し、外気から熱を吸熱して蒸発した低圧のガス冷媒が、圧縮機により圧縮され高圧のガス冷媒となり室内機の室内熱交換器（図示しない）に供給される。
一方、冷房運転の場合には、室外熱交換器２が凝縮器として機能し、圧縮機で圧縮された高圧のガス冷媒が室外熱交換器２で外気に放熱して凝縮し、凝縮した液冷媒が減圧されて室内機の室内熱交換器（図示しない）に供給される。
【００１５】
＜把手部の構成＞
ここで、天面パネル１０に設けられる把手部１１について、図２〜７を用いて説明する。
【００１６】
天面パネル１０は、図２に示すように、長方形状をなしており、室外機の筐体１の上面を覆う蓋部材である。天面パネル１０は、図３、４に示すように上面視で長辺部１２と短辺部１３とにより長方形状で構成されている。長辺部１２の両端には把手部１１が長辺部１２の中央部分１２ｃより天面パネル１０の短辺方向（筐体１の前後方向＝本発明の第１方向に相当する）の外方へ突出する先端部１１ｃを有して設けられている。ここで、天面パネル１０の長辺部１２は筐体１の前面パネル２０及び背面パネル５０と面一で構成されているため、把手部１１の先端部１１ｃは筐体１の前面パネル２０及び背面パネル５０から天面パネル１０の短辺方向（筐体１の前後方向）の外方へ突出して構成されている。
【００１７】
把手部１１は天面パネル１０の長辺部１２の四隅に４つ形成されている。把手部１１の先端部１１ｃと長辺部１２の中央部分１２ｃとはなだらかに接続されるため、天面パネル１０の長辺方向は中央部分１２ｃの幅が狭いくびれた形状となっている。
【００１８】
この把手部１１は、図５に示す室外機の上面視で、筐体１の脚部４０の先端位置４０ａより外方へ突出させないように設けられている。すなわち、把手部１１は、天面パネル１０の長辺部１２の中央部分１２ｃ（前面パネル２０及び背面パネル５０）より外方へ突出するが、先端部１１ｃは筐体１の上面視で、脚部４０の先端位置４０ａを通り天面パネル１０の長辺部１２と平行な仮想線１２ａより外方へ突出させない（先端部１１ｃが仮想線１２ａより前面パネル２０及び背面パネル５０側に位置する）ように設けられているものである。
【００１９】
また、室外機の設置時においては、熱交換用外気が流通するための筐体１の前後方向（天面パネル１０の短辺方向）における最小クリアランス１２ｂ内に把手部１１の先端部１１ｃの突出寸法を納めるものである。この最小クリアランス１２ｂは、筐体１の上面視で、天面パネル１０の長辺部１２と平行な仮想線で規定され、室外機を設置した際に熱交換用外気の流通スペースとして筐体１の前後方向（天面パネル１０の短辺方向）に設けられる必要スペースのことである。通常は前面パネル２０や背面パネル５０から１００ｍｍ程度離間したスペースを必要とする。
なお、把手部１１は、板金加工等にて天面パネル１０と一体に形成されてもいいし、天面パネル１０とは別体で形成されてもよい。
【００２０】
また、把手部１１は、図６に示す断面図のように、裏側に作業者の指が挿入可能な大きさの凹部１１ａを有している。また、把手部１１の下端部１１ｂは、Ｕ字状に曲げ加工されている。このように構成することにより、作業者が把手部１１の凹部１１ａに手を入れた際に、板金の端に直接触れないため、持ちやすく、かつ、ケガを防ぐことができる。なお、把手部１１が形成されていない天面パネル１０の長辺部１２の中央部分１２ｃは、図７に示すように前面パネル２０のフランジ部２０ａに天面パネル１０の長辺部１２が当接しており、前面パネル２０と天面パネル１０の長辺部１２とは面一の構成となっている。
【００２１】
＜効果＞
以上のように、本実施の形態１によれば、把手部１１の先端部１１ｃは、天面パネル１０の長辺部１２の中央部分１２ｃ（前面パネル２０や背面パネル５０）より外方へ突出するが、筐体１の上面視で、筐体１の底面に設けられた脚部４０の先端位置４０ａより外方へ突出させないように設けたので、把手部１１のために梱包サイズが大型化することはない。
【００２２】
また、室外機の設置時においては、熱交換用外気が流通するための筐体１の前後方向（天面パネル１０の短辺方向）における最小クリアランス１２ｂ内に把手部１１の先端部１１ｃの突出寸法を納めているため、室外機の設置時のデッドスペースを有効に活用して筐体１を構成することが可能となる。
そして、２人の作業者がそれぞれ持ちやすい天面パネル１０の長辺方向の端部に４つ把手部１１が配置されるため搬送効率を向上させることが可能となる。
【００２３】
＜変形例１、２＞
実施の形態１に係る室外機の天面パネルの構成の変形例１、２を図８〜図１１により説明する。
図８は、実施の形態１の変形例１に係る室外機の天面パネルの斜視図である。
図９は、実施の形態１の変形例１に係る室外機の天面パネルの上面図と３面の側面図とを示した図である。
図１０は、実施の形態１の変形例２に係る室外機の天面パネルの斜視図である。
図１１は、実施の形態１の変形例２に係る室外機の天面パネルの上面図と３面の側面図とを示した図である。
【００２４】
実施の形態１では、天面パネル１０の長辺部１２の四隅に把手部１１を形成した例を示したが、図８、９に示す変形例１では天面パネル１０の長辺部１２の対角部分に２つの把手部１１を形成したものである。
また、図１０、１１に示す変形例２は、変形例１とは異なる天面パネル１０の長辺部１２の対角部分に把手部１１を配置した例である。
【００２５】
この変形例１、２においても把手部１１の先端部１１ｃは、実施の形態１に係る図５に示す室外機の上面視で、天面パネル１０の長辺部１２の中央部分１２ｃ（前面パネル２０及び背面パネル５０）より外方へ突出するが、筐体１の上面視で、脚部４０の先端位置４０ａを通り天面パネル１０の長辺部１２と平行な仮想線１２ａより外方へ突出させない（先端部１１ｃが仮想線１２ａより前面パネル２０及び背面パネル５０側に位置する）ように設けられているものである。
【００２６】
また、室外機の設置時においても実施の形態１と同様に、熱交換用外気が流通するための筐体１の前後方向（天面パネル１０の短辺方向）における最小クリアランス１２ｂ内に把手部１１の先端部１１ｃの突出寸法を納めるものである。
【００２７】
＜効果＞
これら実施の形態１の変形例１、２によれば、実施の形態１に係る効果に加え、把手部１１を四隅から天面パネル１０の対角上に２つとした構成としたため、実施の形態１に比べ筐体１の更なる小型化を図ることができる。
また、把手部１１を天面パネル１０の長辺部１２の対角上としても２人の作業者で運搬する際に、筐体１の重心が天面パネル１０の対角線上にあるため、バランスを崩すことなく搬送することができる。
【００２８】
実施の形態２．
実施の形態２に係る室外機について図１２、１３を用いて説明する。
図１２は、実施の形態２に係る室外機の斜視図である。
図１３は、実施の形態２に係る室外機の分解斜視図である。
【００２９】
＜室外機の構成＞
室外機の基本構成は、実施の形態１と同様のため説明を省略する。
＜把手部の構成＞
実施の形態１では、天面パネル１０の長辺部１２の四隅に把手部１１を形成した例を示したが、実施の形態２では、天面パネル１０の長辺部１２の全体に渡って把手部１１が連続して突出した形状をしている。
すなわち、天面パネル１０は、図１３に示すように把手部１１と短辺部１３とにより長方形状で構成され、天面パネル１０の短辺方向（筐体１の前後方向＝本発明の第１方向に相当する）の外方へ筐体１の前面パネル２０と背面パネル５０からそれぞれ突出する先端部１１ｃを有して設けられている。
【００３０】
この把手部１１は、実施の形態１と同様に図５に示す室外機の上面視で、筐体１の脚部４０の先端位置４０ａより外方へ突出させないように設けられている。すなわち、把手部１１の先端部１１ｃは、前面パネル２０と背面パネル５０より外方へ突出するが、筐体１の上面視で、脚部４０の先端位置４０ａを通り天面パネル１０の長辺部１２と平行な仮想線１２ａより外方へ突出させない（先端部１１ｃが仮想線１２ａより前面パネル２０及び背面パネル５０側に位置する）ように設けられているものである。
【００３１】
また、室外機の設置時においても実施の形態１と同様に、熱交換用外気が流通するための筐体１の前後方向（天面パネル１０の短辺方向）における最小クリアランス１２ｂ内に把手部１１の先端部１１ｃの突出寸法を納めるものである。
なお、把手部１１は、板金加工等にて天面パネル１０と一体に形成されてもいいし、天面パネル１０とは別体で形成されてもよい。
【００３２】
＜効果＞
以上のように、本実施の形態２に係る室外機によれば、実施の形態１に係る室外機の効果に加えて、把手部１１の先端部１１ｃは連続して前面パネル２０や背面パネル５０より外方へ突出しているため、作業者が持つ位置を気にかけることがない。
そして、２人の作業者がそれぞれ持ちやすい天面パネル１０の長辺方向に把手部１１が連続して配置されるため搬送効率を向上させることが可能となる。
【００３３】
実施の形態３．
実施の形態３に係る室外機について図１４〜１８を用いて説明する。
図１４は、実施の形態３に係る室外機の正面側斜視図である。
図１５は、実施の形態３に係る室外機の背面側斜視図である。
図１６は、実施の形態３に係る室外機の正面図である。
図１７は、実施の形態３に係る室外機の背面図である。
図１８は、実施の形態３に係る室外機の図１６におけるＺ−Ｚ断面図である。
【００３４】
＜室外機の構成＞
室外機の基本構成は、実施の形態１と同様のため説明を省略する。
＜把手部の構成＞
実施の形態１、２では、天面パネル１０に把手部１１を形成した例を示したが、本実施の形態３では、前面パネル２０と背面パネル５０に把手部１５を取り付ける例を示す。
把手部１５は、図１４〜１８に示すように筐体１の長手方向である前面パネル２０と背面パネル５０の上方部分に取り付けられている。
【００３５】
本実施の形態３に係る把手部１５は、例えば樹脂製であり、前面パネル２０や背面パネル５０とは別体で成形され、各パネルに取り付けられるものである。作業者の指が挿入され引っかかる凹部１５ａは、筐体１の内部側に凹んだ形状となっている。把手部１５は室外機の上面視で前面パネル２０及び背面パネル５０の両端部に４つ取り付けられている。
すなわち、把手部１５は、筐体１の上面視で天面パネル１０の長辺部１２における対角線上に４つ配置されている。
なお、把手部１１は、板金加工等にて前面パネル２０及び背面パネル５０と一体に形成されてもよい。
【００３６】
この把手部１５の先端部１５ｂは、実施の形態１と同様に図１８に示すように上面視で、筐体１の脚部４０の先端位置４０ａより外方へ突出させないように設けられている。すなわち、把手部１５の先端部１５ｂは、前面パネル２０や背面パネル５０より外方へ突出するが、筐体１の上面視で、脚部４０の先端位置４０ａを通り天面パネル１０の長辺部１２と平行な仮想線１２ａより外方へ突出させない（先端部１５ｂが仮想線１２ａより前面パネル２０及び背面パネル５０側に位置する）ように設けられているものである。
【００３７】
また、室外機の設置時においては、熱交換用外気が流通するための筐体１の前後方向（天面パネル１０の短辺方向）における最小クリアランス１２ｂ内に把手部１５の先端部１５ｂの突出寸法を納めるものである。
【００３８】
＜効果＞
以上のように、本実施の形態３によれば、把手部１５の先端部１５ｂは、前面パネル２０や背面パネル５０より外方へ突出するが、筐体１の上面視で、筐体１の底面に設けられた脚部４０の先端位置４０ａより外方へ突出させないように設けたので、把手部１５のために梱包サイズが大型化することはない。
【００３９】
また、室外機の設置時においては、熱交換用外気が流通するための筐体１の前後方向（天面パネル１０の短辺方向）における最小クリアランス１２ｂ内に把手部の先端部１５ｂの突出寸法を納めているため、室外機の設置時のデッドスペースを有効に活用して筐体を構成することが可能となる。
そして、２人の作業者がそれぞれ持ちやすい筐体１の長辺方向となる前面パネル２０と背面パネル５０とに把手部１５が４つ配置されるため、搬送効率を向上させることが可能になる。
【符号の説明】
【００４０】
１  筐体、２  室外熱交換器、３  送風機、４  支持台、５  制御装置、１０  天面パネル、１１  把手部、１１ａ  凹部、１１ｂ  下端部、１１ｃ  先端部、１２  長辺部、１２ａ  仮想線、１２ｂ  最小クリアランス、１２ｃ  中央部分、１３  短辺部、１５  把手部、１５ａ  凹部、１５ｂ  先端部、２０  前面パネル（本発明の第１側面部）、２０ａ  フランジ部、２１  前面グリル、３０  側面パネル（本発明の第２側面部）、４０  脚部、４０ａ  先端位置、５０  背面パネル（本発明の第１側面部）。
【図１】
2016129077.tif 000003
【図２】
2016129077.tif 000004
【図３】
2016129077.tif 000005
【図４】
2016129077.tif 000006
【図５】
2016129077.tif 000007
【図６】
2016129077.tif 000008
【図７】
2016129077.tif 000009
【図８】
2016129077.tif 000010
【図９】
2016129077.tif 000011
【図１０】
2016129077.tif 000012
【図１１】
2016129077.tif 000013
【図１２】
2016129077.tif 000014
【図１３】
2016129077.tif 000015
【図１４】
2016129077.tif 000016
【図１５】
2016129077.tif 000017
【図１６】
2016129077.tif 000018
【図１７】
2016129077.tif 000019
【図１８】
2016129077.tif 000020
【手続補正書】
【提出日】平成29年3月13日(2017.3.13)
【手続補正１】
【補正対象書類名】明細書
【補正対象項目名】００２７
【補正方法】変更
【補正の内容】
【００２７】
＜効果＞
これら実施の形態１の変形例１、２によれば、実施の形態１に係る効果に加え、把手部１１を四隅から天面パネル１０の対角状に２つとした構成としたため、実施の形態１に比べ筐体１の更なる小型化を図ることができる。
また、把手部１１を天面パネル１０の長辺部１２の対角状としても２人の作業者で運搬する際に、筐体１の重心が天面パネル１０の対角線上にあるため、バランスを崩すことなく搬送することができる。
【手続補正２】
【補正対象書類名】明細書
【補正対象項目名】００３５
【補正方法】変更
【補正の内容】
【００３５】
本実施の形態３に係る把手部１５は、例えば樹脂製であり、前面パネル２０や背面パネル５０とは別体で成形され、各パネルに取り付けられるものである。作業者の指が挿入され引っかかる凹部１５ａは、筐体１の内部側に凹んだ形状となっている。把手部１５は室外機の上面視で前面パネル２０及び背面パネル５０の両端部に４つ取り付けられている。
すなわち、把手部１５は、筐体１の上面視で天面パネル１０の長辺部１２における対角状に４つ配置されている。
なお、把手部１１は、板金加工等にて前面パネル２０及び背面パネル５０と一体に形成されてもよい。
【手続補正３】
【補正対象書類名】特許請求の範囲
【補正対象項目名】全文
【補正方法】変更
【補正の内容】
【特許請求の範囲】
【請求項１】
上面視において長辺部を一辺とする一対の第１側面部と、上面視において前記長辺部より長さの短い短辺部を一辺とする一対の第２側面部と、を有する直方体で形成された筐体を備えた室外機であって、
前記一対の第１側面部の上部には把手部が形成される室外機。
【請求項２】
前記把手部は、上面視において前記一対の第１側面部の端部に形成される請求項１に記載の室外機。
【請求項３】
前記把手部は、上面視において前記一対の第１側面部の両端部に４つ形成される請求項１に記載の室外機。
【請求項４】
前記把手部は、上面視において前記一対の第１側面部の対角状となる端部に２つ形成される請求項１または２に記載の室外機。
【請求項５】
前記把手部の先端部は、前記短辺部と平行な第１方向において、前記一対の第１側面部から突出して形成される請求項１〜４のいずれか１項に記載の室外機。
【請求項６】
前記筐体は、該筐体の上面に取り付けられ、前記長辺部と前記短辺部とを有する天面パネルを備え、
前記長辺部には前記把手部が形成される請求項１〜４のいずれか１項に記載の室外機。
【請求項７】
前記把手部の先端部は、前記短辺部と平行な第１方向において、前記長辺部の中央部分よりも突出して形成される請求項６に記載の室外機。
【請求項８】
前記筐体の底面には、前記短辺部と平行な第１方向において、前記長辺部から突出して配置される脚部が取り付けられ、
前記把手部の先端部は、前記第１方向において前記脚部の先端位置よりも前記第１側面部側に位置するよう構成された請求項１〜７のいずれか１項に記載の室外機。
【国際調査報告】
2016129077.tif 000021
2016129077.tif 000022
2016129077.tif 000023
2016129077.tif 000024